(57)【要約】【課題】集中制御装置にアクセス可能なロッカーシステムにおいてセキュリティ性を高める。【解決手段】管理装置１に、アクセス対象とする集中制御装置２０に対応するＡＬＬパスワードとエリアパスワードを登録する。ＡＬＬパスワードは同一会社のロッカー群Ａ１，Ａ２の全てのロッカー群に登録する。エリアパスワードはロッカー群Ａ１とＡ２とでそれぞれ固有のパスワードとする。管理装置１にユーザ名、個人パスワード、アクセスレベルを登録する。アクセスレベル１のユーザ名に対しては、集中制御装置２０へアクセスする際にエリアパスワードで認証する。アクセスレベル２，３，４の場合は、ＡＬＬパスワードで認証する。管理装置１において、アクセスレベルに応じて実行できる機能に制限を設ける。【選択図】図１
2005165922.tif 000002
【特許請求の範囲】
【請求項１】
複数のロッカーボックスからなるロッカー群を制御する集中制御装置に対して管理装置によるアクセスを可能にするための認証方法であって、
前記集中制御装置に制御対象のロッカー群を含む複数のロッカー群に共通な共通パスワードと、当該制御対象のロッカー群に固有な固有パスワードとを設定しておき、
前記管理装置に共通パスワードと固有パスワードとを設定するとともに、該管理装置の使用者の個人パスワードと該個人パスワードに対応する優先順位を示すアクセスレベルを設定しておき、
前記管理装置側で、個人パスワードの照合により該個人パスワードに対応する前記アクセスレベルに応じて、前記共通パスワードまたは固有パスワードの何れかを用いて前記集中制御装置との間で該パスワードを照合することを特徴とするロッカーシステムの認証方法。
【請求項２】
複数のロッカーボックスからなるロッカー群を制御するとともに制御対象のロッカー群を含む複数のロッカー群に共通な共通パスワードと当該制御対象のロッカー群に固有な固有パスワードとが設定された集中制御装置に対して、認証によりアクセスを可能にした管理装置であって、
共通パスワード、固有パスワード、個人パスワード及び該個人パスワードに対応する優先順位を示すアクセスレベルとが設定可能な記憶手段と、
予め設定された初期パスワードの照合のみにより、前記共通パスワード、固有パスワード、個人パスワード及びアクセスレベルを前記記憶手段に設定するパスワード設定手段と、
個人パスワードの照合により該個人パスワードに対応する前記アクセスレベルに応じて前記共通パスワードまたは固有パスワードの何れかを用いて前記集中制御装置との間で該パスワードを照合する認証手段と、
を備えたことを特徴とするロッカーシステムの管理装置。
【発明の詳細な説明】
【技術分野】
【０００１】
本発明は、例えば駅構内に設置され、複数の利用者にロッカーボックスを利用可能としたロッカーシステムに関わり、該ロッカーシステムの集中制御装置にアクセスする際のロッカーシステムの認証方法と、該集中制御装置にアクセスするロッカーシステムの管理装置に関する。
【背景技術】
【０００２】
従来のターミナルロッカーにおける一つのロッカー群であるロケーションを運用・管理する際に、通信等を用いて集中制御装置との間でデータの授受を行って管理する技術がある。一例として、特公平７−３８７４９号公報に開示された技術がある。このような方法で管理データを収集することにより、管理者の手間を省くことができ、管理運用がし易くなるという利点がある。
【特許文献１】特公平７−３８７４９号公報
【発明の開示】
【発明が解決しようとする課題】
【０００３】
しかし、このようなロケーションの運用・管理方法において、ターミナルロッカーを制御する集中制御装置に対して、管理を行う全ての管理者がアクセスすることが可能である。また、管理外の別ロケーションに対しても、方法によってはアクセスすることが可能である。また、同じシステム（同じ製品群）の場合、あるロケーションの運用・管理を行っている管理者であれば別ロケーションの運用・管理も全て行うことが可能であるため、不正にアクセルすることが可能となる。また、一度、アクセス可能にした端末装置であれば、別のロケーションでもアクセス可能であった。このため、データ、情報のセキュリティ性が確保できていなかった。
【０００４】
本発明は、ロッカーシステムにおいて集中制御装置に対するアクセス時の認証方法と管理装置を提供し、ロッカーシステムのデータ、情報に対するセキュリティ性を高めることを課題とする。
【課題を解決するための手段】
【０００５】
請求項１のロッカーシステムの認証方法は、複数のロッカーボックスからなるロッカー群を制御する集中制御装置に対して管理装置によるアクセスを可能にするための認証方法であって、前記集中制御装置に制御対象のロッカー群を含む複数のロッカー群に共通な共通パスワードと、当該制御対象のロッカー群に固有な固有パスワードとを設定しておき、前記管理装置に共通パスワードと固有パスワードとを設定するとともに、該管理装置の使用者の個人パスワードと該個人パスワードに対応する優先順位を示すアクセスレベルを設定しておき、前記管理装置側で、個人パスワードの照合により該個人パスワードに対応する前記アクセスレベルに応じて、前記共通パスワードまたは固有パスワードの何れかを用いて前記集中制御装置との間で該パスワードを照合することを特徴とする。なお、「共通パスワード」は実施形態における「ＡＬＬパスワード」に相当し、「固有パスワード」は実施形態における「エリアパスワード」に相当する。
【０００６】
請求項２のロッカーシステムの管理装置は、複数のロッカーボックスからなるロッカー群を制御するとともに制御対象のロッカー群を含む複数のロッカー群に共通な共通パスワードと当該制御対象のロッカー群に固有な固有パスワードとが設定された集中制御装置に対して、認証によりアクセスを可能にした管理装置であって、共通パスワード、固有パスワード、個人パスワード及び該個人パスワードに対応する優先順位を示すアクセスレベルとが設定可能な記憶手段と、予め設定された初期パスワードの照合のみにより、前記共通パスワード、固有パスワード、個人パスワード及びアクセスレベルを前記記憶手段に設定するパスワード設定手段と、個人パスワードの照合により該個人パスワードに対応する前記アクセスレベルに応じて前記共通パスワードまたは固有パスワードの何れかを用いて前記集中制御装置との間で該パスワードを照合する認証手段と、を備えたことを特徴とする。なお、「初期パスワード」は実施形態における「デフォルトの個人パスワード」に相当する。
【０００７】
請求項２の管理装置において、アクセスレベルの優先順位が高い場合は多くの機能を実行でき、アクセスレベルの優先順位が低い場合は限られた機能しか実行できないようにするなど、アクセスレベルに応じて実行できる機能に制限を設けるようにしてもよい。
【発明の効果】
【０００８】
請求項１のロッカーシステムの認証方法によれば、管理装置と集中制御装置との間で認証する場合に、例えば、アクセスレベルの優先順位が低い場合はロッカー群固有の固有パスワードで認証して特定のロッカー群しかアクセスできないようにし、アクセスレベルの優先順位が高い場合は共通パスワードで認証して多くのロッカー群に対してアクセスできるようにすることができるので、アクセスレベルに応じてアクセスできるロッカー群（集中制御装置）に制限を設けることができ、ロッカーシステムのデータ、情報に対するセキュリティ性を高めることができる。
【０００９】
請求項２の管理装置によれば、請求項１の認証方法を実行できるので、ロッカーシステムのデータ、情報に対するセキュリティ性を高めることができるとともに、例えば最高の管理者が初期パスワードで認証して、当該管理装置に共通パスワード、固有パスワード、個人パスワード及びアクセスレベルを設定することができるので、さらにセキュリティ性を高めることができる。
【発明を実施するための最良の形態】
【００１０】
次に、本発明を適用したロッカーシステム及びその管理装置の実施形態を図面を参照して説明する。図１は本発明の実施形態のロッカーシステムの概略図である。このシステムは例えば複数の駅の構内にそれぞれロッカー群Ａ１，Ａ２，Ｂを設置したものであり、各ロッカー群Ａ１，Ａ２，Ｂはそれぞれが複数のロッカーボックス１０とその上に配置された集中制御装置２０とから構成されている。集中制御装置２０は各々対応するロッカー群Ａ１，Ａ２，Ｂの各ロッカーボックス１０の制御を行うものであり、この集中制御装置２０には各ロッカーボックス１０を制御するための各種のデータが設定されている。なお、このデータを「設定データ」という。また、集中制御装置２０は対応する各ロッカーボックス１０の利用状態や売上げ料金等の各種のデータを収集して記憶している。なお、このデータを「管理データ」という。
【００１１】
管理装置１（Ａ）はロッカー群Ａ１，Ａ２の設定データの設定や、管理データの収集等を行うものであり、管理装置１（Ｂ）はロッカー群Ｂの設定データの設定や、管理での収集等を行うものである。ここで、各ロッカー群Ａ１，Ａ２，Ｂは異なる場所（ロケーション）に配置されたものであるが、例えばロッカー群Ａ１，Ａ２は同じ管理会社（例えば「Ａ社」とする）が管理し、ロッカー群Ｂは別の管理会社（例えば「Ｂ社」とする）が管理しているとする。管理装置１は各管理会社の例えば集金係や、メンテナンス係、あるいはマネージャ等の管理者が携帯して操作するものであり、運用時には例えば各管理者が専用のものをそれぞれ所持していてもよい。
【００１２】
管理装置１には後述のように管理者各々のユーザ名、個人パスワード、及び優先順位を示すデータとしてのアクセスレベルが設定・記憶されており、この管理装置１を使用するときはユーザ名と個人パスワードを管理装置１のアプリケーション立ち上げ時に入力し、認証がとれるとこの管理装置１はその管理者のアクセスレベルに応じた機能を実行する。これにより、管理装置１を集中制御装置２０に通信ケーブルで接続（この状態を「オンライン」という）し、オンラインで集中制御装置２０に設定データを設定したり、管理データを収集（ロード）することができる。また、管理装置１単独で（この状態を「オフライン」という。）設定データのファイルの編集や変更等の処理を行うことができる。そして、この集中制御装置２０に対する設定データの設定や管理データの収集、設定データのファイルの編集あるいは変更等を行う機能を実行可能か実行不可能かは、管理者のアクセスレベルに応じて異なっている。
【００１３】
図２は実施形態の管理装置１のブロック図、図３は同管理装置１の外観図である。この管理装置１は例えばＰＤＡ（Personal Digital Assistant）と呼ばれる携帯情報端末であり、ＣＰＵ１１、ＦＲＯＭ１２、ＲＡＭ１３、液晶タッチパネル１４、スイッチ１５、インターフェース１６及び時計１７等を備えた携帯型のコンピュータである。ＦＲＯＭ１２にはコンピュータの基本的機能を果たすＯＳ及びアプリケーション（制御プログラム）が格納されており、ＣＰＵ１１がこのアプリケーションを実行してＲＡＭ１３等のワークエリアを使用して装置全体の制御を行う。
【００１４】
具体的には、液晶タッチパネル１４の操作（押圧操作）やスイッチ１５の操作を検出してその操作に応じた処理を行うとともに、液晶タッチパネル１４の表示の制御を行い、画面スイッチの表示とその操作による所謂グラフィカル・ユーザ・インターフェース（ＧＵＩ）の処理を実行する。これにより、ユーザ名、個人パスワード及びアクセスレベルの設定、データの編集、通信処理など、各種の処理をおこなう。また、図３に示したように、本体には通信ケーブル１００を挿入するソケット１８を備えており、この通信ケーブル１００で集中制御装置２０に接続可能となっている。そして、インターフェース１６を介して集中制御装置２０との間で通信を行ってデータの授受を行う。さらに、インターフェース１６を介してフラッシュメモリ等との間で設定データや管理データの授受を行う。
【００１５】
また、ＦＲＯＭ１２には、当該管理装置１の製造時（あるいは出荷前）に設定された、デフォルトのユーザ名、デフォルトの個人パスワード及び優先順位の最も高いアクセスレベル４のデータが登録（記憶）されている。また、このＦＲＯＭ１２には当該管理装置１を使用する管理者のユーザ名、個人パスワード及びアクセスレベルのデータが複数組（複数の管理者分）登録できるようになっている。
【００１６】
この管理装置１の初期設定は次のように行う。例えば最高の管理者（マネージャ等）には、管理装置１の納入時にデフォルトのユーザ名とデフォルトの個人パスワードが知らされている。そこで、最高の管理者は、デフォルトのユーザ名とデフォルトの個人パスワードを入力する。これにより、ユーザ名、個人パスワード及びアクセスレベルを登録する機能を実行することができる。そして、最高の管理者は、本人のユーザ名、個人パスワードを入力して、デフォルトのユーザ名とデフォルトの個人パスワードを上書きして登録する。なお、最高の管理者のアクセスレベルは最高のアクセスレベル４のままである。また、他の管理者（社員等）から予め申告されているユーザ名と個人パスワードを登録するとともに、そのユーザ名に対して適宜アクセスレベルを設定して登録する。
【００１７】
図４は管理装置１と集中制御装置２０にそれぞれ記憶される認証用データの登録内容を説明する図である。管理装置１には、前記のように「ユーザ名」、「個人パスワード」及び「アクセスレベル」が登録されるとともに、「ＡＬＬパスワード」と「エリアパスワード」が登録される。集中制御装置２０には、管理装置１側からの設定により「ＡＬＬパスワード」と「エリアパスワード」及び「ロケーション名」が登録される。
【００１８】
ここで、ロッカー群Ａ１，Ａ２はＡ社が管理しており、Ａ社はロッカー群Ａ１，Ａ２を含めて管理対象としている全ロッカー群を他社のロッカー群と区別する必要がある。このように一つの管理会社が管理する全ロッカー群を同一に示すデータが上記の「ＡＬＬパスワード」である。したがって、ロッカー群Ａ１とロッカー群Ａ２の「ＡＬＬパスワード」は同じパスワードであり、ロッカー群Ｂは別のパスワードである。また、同じ管理会社のロッカー群Ａ１，Ａ２であってもそれぞれ設置場所が異なっており、この設置場所を区別するデータが上記の「エリアパスワード」である。また、集中制御装置２０には、対応するロッカー群の設置個所を示す「ロケーション名」のデータが登録される。
【００１９】
このように、集中制御装置２０には「ユーザ名」、「個人パスワード」及び「アクセスレベル」は登録されない、したがって、これらのＩＤ情報のセキュリティ性が高まる。また、「ロケーション名」は管理装置１には登録されないが、設定データや管理データのファイルを出力するときには、そのファイルに対応する集中制御装置２０（ロッカー群）の「ロケーション名」が付加される。
【００２０】
前記のように「アクセスレベル」は管理装置１で実行する機能等を制限するものであるが、この実施形態では４段階（アクセルレベル１，２，３，４）のアクセスレベルを設定する。例えば、アクセスレベル１，２は、例えば集金係等に設定するレベルであり、売上確認、コインカウンタークリア、ケーシング（ロッカーボックス）切断／復旧等の処理を可能とする。アクセスレベル３は、例えばメンテナンス係等に設定するレベルであり、ケーシング状態表示、履歴確認、売上確認、ソレノイド作動回数、日付・時刻設定、日送り時刻設定、省エネ設定等、主にロッカーの動作条件等を設定する処理を可能とする。
【００２１】
アクセスレベル４はマネージャー等に設定するレベルであり、アクセスレベル３の各種処理、ロケーション設定の処理、及び、ユーザ設定の処理を可能とする。なお、ロケーション設定の処理は、集中制御装置２０に対して「機器パスワード（ＡＬＬ）」、「機器パスワード（エリア）」及び「ロケーション名」を登録する処理である。また、ユーザ設定の処理は、管理装置１に対して、「機器パスワード（ＡＬＬ）」、「機器パスワード（エリア）」、「ユーザ名」、「個人パスワード」及び「アクセスレベル」を登録する処理である。
【００２２】
このように、アクセスレベルが最も高いのはアクセスレベル４であり、アクセスレベル３，２，１と順に低くなり、アクセスレベルが低いほどアプリケーション内で使用できる機能が制限される。例えば、アクセスレベル３以下の管理者はオフラインの処理を選択できない。また、管理装置１で集中制御装置２０にアクセスする場合、アクセスレベル１の場合はエリアパスワードで認証し、アクセスレベル２，３，４の場合はＡＬＬパスワードで認証する。すなわち、アクセスレベル１の管理者は、特定のエリアのロッカー群の集中制御装置２０に対してしかアクセスできないが、アクセスレベル２，３，４の管理者はＡＬＬパスワードで認証されれば（同一管理会社であれば）どのエリアのロッカー群の集中制御装置２０に対してアクセスできる。
【００２３】
図１の例では、矢印は管理者による管理装置１の操作と、管理装置１と集中制御装置２０との間の通信を示しており、同矢印上の「○」は操作可能または通信可能を示し、「×」は操作不可能または通信不可能を示し、「△」はアクセスレベル２，３，４の場合は通信可能であることを示している。
【００２４】
図５は管理装置１の基本動作フローであり、破線の枠内はアクセスレベル４の管理者のみが実行可能な処理である。ステップＳ１でアプリケーション（制御プログラム）を起動し、ステップＳ２でユーザ認証の処理を行う。このユーザ認証の処理では、ユーザ名、個人パスワードを入力するので、現在の操作者のアクセスレベル、このユーザ名に設定されているエリアパスワード及びＡＬＬパスワードが判明する。但し、アクセスレベル１の場合にはＡＬＬパスワードは設定されていない。なお、入力されたユーザ名や個人パスワードがこの管理装置１に登録されているものと一致しなければ（認証がＮＧ）、その旨のメッセージを表示する。
【００２５】
ステップＳ２で認証されれば、ステップＳ３で液晶タッチパネル１４にオンラインの処理かオフラインの処理かを選択する選択画面を表示し、処理を選択させる。なお、以下の表示や選択操作は、前記のように液晶タッチパネル１４の表示と操作によるＧＵＩの処理で実行する。アクセスレベル４の場合オンラインとオフラインの何れかを選択できるが、アクセスレベル３以下の場合はオンラインのみ選択できる。アクセスレベル４でオフラインが選択されると、ステップＳ１１で液晶タッチパネル１４にファイル選択画面を表示し、ファイルを選択させる。そして、ステップＳ１２で設定データの閲覧や編集等を行う。所望の操作が終わればアプリケーションを終了する。
【００２６】
ステップＳ３でオンラインが選択されると、ステップＳ４でロケーション認証の処理を行う。なお、オンラインが選択される場合は集中制御装置２０と通信ケーブル１００で接続されているときである。ロケーション認証の処理では、集中制御装置２０に登録されているＡＬＬパスワードもしくはエリアパスワード（アクセスレベルに応じたパスワード）をこの管理装置１に送信するように集中制御装置２０に対して自動要求する。そして、パスワードを受信し、現在の操作者のパスワードと受信したパスワードにより認証する。すなわち、現在の操作者がアクセスレベル１であれば、エリアパスワードの送信を要求し、管理装置１のエリアパスワードと受信したエリアパスワードとを照合する。また、アクセスレベル２，３，４であれば、ＡＬＬパスワードの送信を要求し、管理装置１のＡＬＬパスワードと受信したＡＬＬパスワードとを照合する。
【００２７】
ステップＳ４で認証されれば、ステップＳ５で設定データを集中制御装置２０からダウンロードする。なお、ロケーション名もダウンロードされる。次に、ステップＳ６でアプリケーションの初期画面を表示する。この初期画面では、アクセスレベル４の場合は、通常作業とファイル送信作業とを選択できるが、アクセスレベル３以下の場合は通常作業のみ選択できる。通常作業が選択されると、ステップＳ７で集中制御装置２０に対して設定データの編集／送信、データの閲覧、オペレーションなどの各種処理を行い、ステップＳ６の初期画面に戻る。アクセスレベル４でファイル送信作業が選択されると、ステップＳ１３で、予め編集しておいたファイルから送信するファイルを選択し、ステップＳ１４でロケーション認証の処理を行う。
【００２８】
ロケーション名確認の処理では、集中制御装置２０からダウンロードしたロケーション名とファイル中に保存されているロケーション名とを比較し、選択されたファイルがその集中制御装置２０用のファイルかどうかを確認する。ロケーション名が異なれば、ステップＳ１５で確認の表示を行い、キャンセルされたらステップＳ１３のファイル選択の処理に戻る。ロケーション名が一致すれば、ステップＳ１６で設定データの編集、データの閲覧、ファイルデータの一括送信等を行ってステップＳ６の初期画面に戻る。
【００２９】
図６は以上の処理の概略を説明する図である。ユーザ認証はアクセスレベルに関係なく個人パスワードで認証し、認証がＯＫであればユーザ名、アクセスレベルが判明する。オンライン処理はアクセスレベルに関係なく実行できるが、オフライン処理はアクセスレベル４の場合だけであり、オフライン処理はアクセスレベルが最も高い場合に制限される。オンライン処理では、アクセスレベル１の場合は「エリアパスワード」で認証し、アクセスレベル２，３，４の場合は「ＡＬＬパスワード」で認証する。すなわち、アクセスレベルの最も低い場合はそのユーザ名に設定された特定のロッカー群だけに制限される。アプリケーションの初期画面では、通常処理はアクセスレベルに関係なく実行できるが、ファイル送信の処理はアクセスレベル４の場合だけであり、ファイル送信はアクセスレベルが最も高い場合に制限される。このように、複数のロッカー群に対して、アクセスできるロッカー群（集中制御装置）をアクセスレベルに応じて制限しているので、セキュリティ性が高まるとともに管理責任のレベルに応じて正しく管理することができる。
【００３０】
以上のように、ＡＬＬパスワード、エリアパスワード、個人パスワード及びアクセスレベルを設定可能なＦＲＯＭ１２が請求項２の「記憶手段」に相当する。また、デフォルトのパスワードの照合のみにより、ＡＬＬパスワード、エリアパスワード、個人パスワード及びアクセスレベルをＦＲＯＭ１２に設定する機能は、ＣＰＵ１１がアプリケーションを実行することにより実現される、請求項２の「パスワード設定手段」に相当する。さらに、個人パスワードの照合により該個人パスワードに対応するアクセスレベルに応じてＡＬＬパスワードまたはエリアパスワードの何れかを用いて集中制御装置２０との間で該パスワードを照合する機能は、ＣＰＵ１１がアプリケーションを実行することにより実現される、請求項２の「認証手段」に相当する。
【００３１】
なお、管理装置１と集中制御装置２０との間での通信方式はつぎのようにする。管理装置１の前記時計１７と集中制御装置２０の図示しない時計とは同期がとられており、通信開始時に、管理装置１は現在の日付のデータを元にして暗号化したＩＤデータ（例えば２バイトで）を生成し、コマンドおよびデータで形成された送信データにＩＤデータを付加して集中制御装置２０に送信する。集中制御装置２０でも同様に現在の日付のデータを上記と同じ暗号化の処理で暗号化してＩＤデータを生成する。そして、送信されるＩＤデータと生成したＩＤデータを比較し、一致していれば通信を続行し、一致しなければ通信を遮断する。これにより、不正なアクセスも防止することができる。
【図面の簡単な説明】
【００３２】
【図１】図１は本発明の実施形態のロッカーシステムの概略図である。
【図２】実施形態の管理装置のブロック図である。
【図３】同管理装置の外観図である。
【図４】実施形態における管理装置と集中制御装置にそれぞれ記憶される認証用データの登録内容を説明する図である。
【図５】実施形態における管理装置の基本動作フローを示す図である。
【図６】同基本動作フローの処理の概略を説明する図である。
【符号の説明】
【００３３】
１              管理装置
１０            ロッカーボックス
２０            集中制御装置
Ａ１，Ａ２，Ｂ  ロッカー群
【図１】
2005165922.tif 000003
【図２】
2005165922.tif 000004
【図３】
2005165922.tif 000005
【図４】
2005165922.tif 000006
【図５】
2005165922.tif 000007
【図６】
2005165922.tif 000008